(57)【要約】【課題】クーポン等の提供情報による送客の効果の向上に寄与すること。【解決手段】統合データベース装置は、ユーザの端末装置の端末識別情報を含む端末情報が車両の車両識別情報に関連付けられて構成される端末情報登録情報と、車両識別情報を含む車両情報が端末識別情報に関連付けられて構成される車両情報登録情報とを受信する登録情報受信部と、端末情報登録情報及び車両情報登録情報を格納する登録情報格納部と、登録情報格納部に格納される端末情報及び車両情報の検索を受け付け、検索結果を応答する検索受付部と、を備える。【選択図】図１
2020009128.tif 000002
【特許請求の範囲】
【請求項１】
ユーザの端末装置の端末識別情報を含む端末情報が車両の車両識別情報に関連付けられて構成される端末情報登録情報と、前記車両識別情報を含む車両情報が前記端末識別情報に関連付けられて構成される車両情報登録情報とを受信する登録情報受信部と、
前記端末情報登録情報及び前記車両情報登録情報を格納する登録情報格納部と、
前記登録情報格納部に格納される前記端末情報及び前記車両情報の検索を受け付け、検索結果を応答する検索受付部と、
を備える統合データベース装置。
【請求項２】
請求項１に記載の統合データベース装置と、
前記統合データベース装置を使用する情報配信装置とを備え、
前記情報配信装置は、
送客のために配信される複数の提供情報を格納する提供情報格納部と、
ユーザの端末装置の端末識別情報を含む端末情報と前記端末識別情報に関連付けられた車両情報、又は、前記ユーザの車両の車両識別情報を含む車両情報と前記車両識別情報に関連付けられた端末情報を前記統合データベース装置から取得し、取得した前記端末情報及び前記車両情報に基づいて、前記提供情報格納部の前記複数の提供情報の中から前記ユーザに提供する提供情報を選択する提供情報取得部と、
前記ユーザに提供する提供情報を送信する提供情報送信部と、
を備える情報提供システム。
【請求項３】
前記提供情報取得部は、同一の車両識別情報を含む前記車両情報に関連付けられている前記端末識別情報の変化を監視し、監視結果に基づいて監視対象の車両情報が複数のユーザに関する車両情報であるか否かを判断し、複数のユーザに関する車両情報であると判断した場合に、当該監視対象の車両情報に基づいて、前記提供情報格納部の前記複数の提供情報の中から複数のユーザに対応する提供情報を選択する、
請求項２に記載の情報提供システム。
【請求項４】
コンピュータに、
ユーザの端末装置の端末識別情報を含む端末情報が車両の車両識別情報に関連付けられて構成される端末情報登録情報と、前記車両識別情報を含む車両情報が前記端末識別情報に関連付けられて構成される車両情報登録情報とを受信する登録情報受信機能と、
前記端末情報登録情報と前記車両情報登録情報とを格納する登録情報格納機能と、
を実現させるためのコンピュータプログラム。
【請求項５】
請求項１に記載の統合データベース装置を備える情報提供システムの情報配信コンピュータに、
送客のために配信される複数の提供情報を格納する提供情報格納機能と、
ユーザの端末装置の端末識別情報を含む端末情報と前記端末識別情報に関連付けられた車両情報、又は、前記ユーザの車両の車両識別情報を含む車両情報と前記車両識別情報に関連付けられた端末情報を前記統合データベース装置から取得し、取得した前記端末情報及び前記車両情報に基づいて、前記提供情報格納機能の前記複数の提供情報の中から前記ユーザに提供する提供情報を選択する提供情報取得機能と、
前記ユーザに提供する提供情報を送信する提供情報送信機能と、
を実現させるためのコンピュータプログラム。
【請求項６】
統合データベース装置が、ユーザの端末装置の端末識別情報を含む端末情報が車両の車両識別情報に関連付けられて構成される端末情報登録情報と、前記車両識別情報を含む車両情報が前記端末識別情報に関連付けられて構成される車両情報登録情報とを受信する登録情報受信ステップと、
前記統合データベース装置が、前記端末情報登録情報と前記車両情報登録情報とを格納する登録情報格納ステップと、
を含むデータベース生成方法。
【請求項７】
請求項１に記載の統合データベース装置を備え、
情報配信装置が、送客のために配信される複数の提供情報を提供情報格納部に格納する提供情報格納ステップと、
前記情報配信装置が、ユーザの端末装置の端末識別情報を含む端末情報と前記端末識別情報に関連付けられた車両情報、又は、前記ユーザの車両の車両識別情報を含む車両情報と前記車両識別情報に関連付けられた端末情報を前記統合データベース装置から取得し、取得した前記端末情報及び前記車両情報に基づいて、前記提供情報格納部の前記複数の提供情報の中から前記ユーザに提供する提供情報を選択する提供情報取得ステップと、
前記情報配信装置が、前記ユーザに提供する提供情報を送信する提供情報送信ステップと、
を含む情報提供方法。
【発明の詳細な説明】
【技術分野】
【０００１】
本発明は、統合データベース装置、情報提供システム、コンピュータプログラム、データベース生成方法及び情報提供方法に関する。
【背景技術】
【０００２】
従来より、自動車の運転者に対して、店舗で利用できる割引等のクーポンを自動車のユーザインタフェースの表示装置に表示して提示する情報提供技術が知られている（例えば、特許文献１参照）。
【先行技術文献】
【特許文献】
【０００３】
【特許文献１】特表２０１２−５０３４６８号公報
【発明の概要】
【発明が解決しようとする課題】
【０００４】
提供情報の広告主は、クーポン等の提供情報を自動車に乗車する運転者や同乗者等の乗車者に提示することによって、広告主の店舗やサービス施設等に自動車の乗車者を誘導する送客の効果を期待している。しかし、上述した従来の情報提供技術では、自動車の乗車者に適したクーポン等の提供情報を提示することまでは考慮されていないので、提供情報の広告主が期待する送客の効果が不十分である場合があった。また、自動車の乗車者に適したクーポン等の提供情報を選択する際に参考にされる情報を効率よく取得することが難しいという課題があった。
【０００５】
本発明は、このような事情を考慮してなされたものであり、その目的は、クーポン等の提供情報による送客の効果の向上に寄与することにある。
【課題を解決するための手段】
【０００６】
（１）本発明の一態様は、ユーザの端末装置の端末識別情報を含む端末情報が車両の車両識別情報に関連付けられて構成される端末情報登録情報と、前記車両識別情報を含む車両情報が前記端末識別情報に関連付けられて構成される車両情報登録情報とを受信する登録情報受信部と、前記端末情報登録情報及び前記車両情報登録情報を格納する登録情報格納部と、前記登録情報格納部に格納される前記端末情報及び前記車両情報の検索を受け付け、検索結果を応答する検索受付部と、を備える統合データベース装置である。
【０００７】
（２）本発明の一態様は、上記（１）の統合データベース装置と、前記統合データベース装置を使用する情報配信装置とを備え、前記情報配信装置は、送客のために配信される複数の提供情報を格納する提供情報格納部と、ユーザの端末装置の端末識別情報を含む端末情報と前記端末識別情報に関連付けられた車両情報、又は、前記ユーザの車両の車両識別情報を含む車両情報と前記車両識別情報に関連付けられた端末情報を前記統合データベース装置から取得し、取得した前記端末情報及び前記車両情報に基づいて、前記提供情報格納部の前記複数の提供情報の中から前記ユーザに提供する提供情報を選択する提供情報取得部と、前記ユーザに提供する提供情報を送信する提供情報送信部と、を備える情報提供システムである。
（３）本発明の一態様は、前記提供情報取得部は、同一の車両識別情報を含む前記車両情報に関連付けられている前記端末識別情報の変化を監視し、監視結果に基づいて監視対象の車両情報が複数のユーザに関する車両情報であるか否かを判断し、複数のユーザに関する車両情報であると判断した場合に、当該監視対象の車両情報に基づいて、前記提供情報格納部の前記複数の提供情報の中から複数のユーザに対応する提供情報を選択する、上記（２）の情報提供システムである。
【０００８】
（４）本発明の一態様は、コンピュータに、ユーザの端末装置の端末識別情報を含む端末情報が車両の車両識別情報に関連付けられて構成される端末情報登録情報と、前記車両識別情報を含む車両情報が前記端末識別情報に関連付けられて構成される車両情報登録情報とを受信する登録情報受信機能と、前記端末情報登録情報と前記車両情報登録情報とを格納する登録情報格納機能と、を実現させるためのコンピュータプログラムである。
【０００９】
（５）本発明の一態様は、上記（１）の統合データベース装置を備える情報提供システムの情報配信コンピュータに、送客のために配信される複数の提供情報を格納する提供情報格納機能と、ユーザの端末装置の端末識別情報を含む端末情報と前記端末識別情報に関連付けられた車両情報、又は、前記ユーザの車両の車両識別情報を含む車両情報と前記車両識別情報に関連付けられた端末情報を前記統合データベース装置から取得し、取得した前記端末情報及び前記車両情報に基づいて、前記提供情報格納機能の前記複数の提供情報の中から前記ユーザに提供する提供情報を選択する提供情報取得機能と、前記ユーザに提供する提供情報を送信する提供情報送信機能と、を実現させるためのコンピュータプログラムである。
【００１０】
（６）本発明の一態様は、統合データベース装置が、ユーザの端末装置の端末識別情報を含む端末情報が車両の車両識別情報に関連付けられて構成される端末情報登録情報と、前記車両識別情報を含む車両情報が前記端末識別情報に関連付けられて構成される車両情報登録情報とを受信する登録情報受信ステップと、前記統合データベース装置が、前記端末情報登録情報と前記車両情報登録情報とを格納する登録情報格納ステップと、を含むデータベース生成方法である。
【００１１】
（７）本発明の一態様は、上記（１）の統合データベース装置を備え、情報配信装置が、送客のために配信される複数の提供情報を提供情報格納部に格納する提供情報格納ステップと、前記情報配信装置が、ユーザの端末装置の端末識別情報を含む端末情報と前記端末識別情報に関連付けられた車両情報、又は、前記ユーザの車両の車両識別情報を含む車両情報と前記車両識別情報に関連付けられた端末情報を前記統合データベース装置から取得し、取得した前記端末情報及び前記車両情報に基づいて、前記提供情報格納部の前記複数の提供情報の中から前記ユーザに提供する提供情報を選択する提供情報取得ステップと、前記情報配信装置が、前記ユーザに提供する提供情報を送信する提供情報送信ステップと、を含む情報提供方法である。
【発明の効果】
【００１２】
本発明によれば、クーポン等の提供情報による送客の効果の向上に寄与することができるという効果が得られる。
【図面の簡単な説明】
【００１３】
【図１】一実施形態に係る情報提供システムの概略構成図である。
【図２】一実施形態に係る統合データベース装置の機能構成例を示すブロック図である。
【図３】一実施形態に係る端末装置の機能構成例を示すブロック図である。
【図４】一実施形態に係る自動車の概略構成図である。
【図５】一実施形態に係る情報配信装置の機能構成例を示すブロック図である。
【図６】一実施形態に係る統合データベース装置の登録情報格納部の構成例を示す図である。
【図７】一実施形態に係るデータベース生成方法の例１の手順を示す説明図である。
【図８】一実施形態に係るデータベース生成方法の例２の手順を示す説明図である。
【図９】一実施形態に係るデータベース生成方法の例３の手順を示す説明図である。
【図１０】一実施形態に係る情報提供方法の手順を示すフローチャートである。
【図１１】一実施形態に係る提供情報選択方法の例２の手順を示すフローチャートである。
【図１２】一実施形態に係る情報提供システムの適用例の説明図である。
【発明を実施するための形態】
【００１４】
以下、図面を参照し、本発明の実施形態について説明する。なお、以下に示す実施形態では、車両として自動車を例に挙げて説明する。
【００１５】
図１は、本実施形態に係る情報提供システムの概略構成図である。図１において、情報提供システム１は、情報配信装置３０と、統合データベース装置７０と、を備える。情報配信装置３０及び統合データベース装置７０は、通信ネットワークＮＷ３を介して通信を行う。通信ネットワークＮＷ３は、例えばインターネットである。
【００１６】
端末装置４０は、通信ネットワークＮＷ１を介して通信を行う。通信ネットワークＮＷ１は、例えば携帯電話ネットワークや無線ＬＡＮ（Local Area Network）等の無線通信ネットワークである。通信ネットワークＮＷ１は、有線通信ネットワークであってもよい。端末装置４０は、通信ネットワークＮＷ１及び通信ネットワークＮＷ３を介して、情報配信装置３０及び統合データベース装置７０と通信を行う。
【００１７】
自動車５０は、通信ネットワークＮＷ２を介して通信を行う。通信ネットワークＮＷ２は、例えば携帯電話ネットワークや無線ＬＡＮ等の無線通信ネットワークである。自動車５０は、通信ネットワークＮＷ２及び通信ネットワークＮＷ３を介して、情報配信装置３０及び統合データベース装置７０と通信を行う。
【００１８】
通信ネットワークＮＷ１と通信ネットワークＮＷ２とは、同じ通信ネットワークであってもよく、又は、異なる通信ネットワークであってもよい。
端末装置４０は、自動車５０の車内に存在してもよく、又は、自動車５０の車外に存在してもよい。
【００１９】
図２は、本実施形態に係る統合データベース装置の機能構成例を示すブロック図である。図２において、統合データベース装置７０は、登録情報受信部７１と、登録情報格納部７２と、検索受付部７３と、を備える。
【００２０】
登録情報受信部７１は、端末情報登録情報及び車両情報登録情報を受信する。端末情報登録情報は、ユーザの端末装置４０の端末識別情報（端末ＩＤ）を含む端末情報が自動車５０の車両識別情報に関連付けられて構成される情報である。車両情報登録情報は、自動車５０の車両識別情報を含む車両情報がユーザの端末装置４０の端末ＩＤに関連付けられて構成される情報である。
【００２１】
端末ＩＤとして、例えば、携帯電話番号、ＩＭＥＩ（International Mobile Equipment Identity）、ＩＭＳＩ（International Mobile Subscriber Identity）、電子メールアドレスなどが挙げられる。本実施形態の一例として、端末ＩＤは携帯電話番号である。本実施形態の一例として、車両識別情報はＶＩＮ（Vehicle Identification Number、車両識別番号）である。端末情報は、携帯電話番号、ユーザの個人情報（例えば氏名、住所、年齢等）、ユーザの趣向情報などを含む情報である。車両情報は、ＶＩＮ、自動車５０の目的地を示す目的地情報、自動車５０の走行ログ、自動車５０内の通信ネットワークから取得された情報のログ（車載ネットワーク取得情報ログ）などを含む情報である。
【００２２】
登録情報格納部７２は、登録情報受信部７１が受信した端末情報登録情報及び車両情報登録情報を格納する。検索受付部７３は、登録情報格納部７２に格納される端末情報及び車両情報の検索を受け付け、検索結果を応答する。
【００２３】
統合データベース装置７０の機能は、統合データベース装置７０がＣＰＵ（Central Processing Unit：中央演算処理装置）及びメモリ等のコンピュータハードウェアを備え、ＣＰＵがメモリに格納されたコンピュータプログラムを実行することにより実現される。なお、統合データベース装置７０として、汎用のコンピュータ装置を使用して構成してもよく、又は、専用のハードウェア装置として構成してもよい。
【００２４】
図３は、本実施形態に係る端末装置の機能構成例を示すブロック図である。図３には、端末装置４０の情報提供に係る機能構成が示される。図３において、端末装置４０は、車両インタフェース４１と、車両情報取得部４２と、提供情報受信部４４と、表示部４５と、操作部４６と、端末制御部４７と、登録情報送信部４８とを備える。
【００２５】
車両インタフェース４１は、自動車５０と通信を行い、自動車５０の端末インタフェースと連携を行う。車両インタフェース４１は、端末装置４０のアプリケーションが生成した端末アプリケーション画面を自動車５０へ送信し、自動車５０の端末インタフェースにより当該端末アプリケーション画面を自動車５０の表示デバイスにより表示させる機能や、自動車５０の車両情報を自動車５０の端末インタフェースから受信する機能などを有する。
【００２６】
車両情報取得部４２は、自動車５０の車両情報を車両インタフェース４１により取得する。提供情報受信部４４は、情報配信装置３０から配信された提供情報を受信する。
【００２７】
表示部４５は、データ表示を行うための表示デバイスを備える。表示部４５は、提供情報を表示する。本実施形態の一例として、表示部４５は、提供情報受信部４４が情報配信装置３０から受信した提供情報を表示する。操作部４６は、ユーザの操作に応じたデータ入力を行うための入力デバイスを備える。表示部４５及び操作部４６は、データ入力とデータ表示の両方が可能なタッチパネルであってもよい。
【００２８】
端末制御部４７は、端末装置４０の制御を行う。登録情報送信部４８は、統合データベース装置７０に登録する情報を送信する。
【００２９】
端末装置４０の機能は、端末装置４０がＣＰＵ及びメモリ等のコンピュータハードウェアを備え、ＣＰＵがメモリに格納されたコンピュータプログラムを実行することにより実現される。なお、端末装置４０として、汎用のコンピュータ装置を使用して構成してもよく、又は、専用のハードウェア装置として構成してもよい。また、端末装置４０として、スマートフォン等の携帯通信端末装置、タブレット型のコンピュータ装置（タブレットＰＣ）などを利用してもよい。
【００３０】
図４は、本実施形態に係る自動車の概略構成図である。図４には、自動車５０の情報提供に係る構成が示される。
【００３１】
自動車５０は、ＴＣＵ（Tele Communication Unit）５１と、車載インフォテイメント（In-Vehicle Infotainment：ＩＶＩ）機器５２と、ゲートウェイ（ＧＷ）装置５３と、通信ネットワーク５４と、複数のＥＣＵ（Electronic Control Unit：電子制御装置）５５とを備える。
【００３２】
ＥＣＵ５５は、自動車５０に備わる車載コンピュータである。ＥＣＵ５５は、自動車５０のエンジン制御等の制御機能を有する。ＥＣＵ５５として、例えば、エンジン制御機能を有するＥＣＵ、トランスミッション制御機能を有するＥＣＵ、ハンドル制御機能を有するＥＣＵ、ブレーキ制御機能を有するＥＣＵなどがある。ＧＷ装置５３は、自動車５０に搭載されたＥＣＵ５５に適用されるデータのセキュリティ（保安）の機能を有する。
【００３３】
ＧＷ装置５３と複数のＥＣＵ５５は、自動車５０に備わる通信ネットワーク（以下、車載ネットワークと称する）５４に接続される。車載ネットワーク５４は、例えば、ＣＡＮ（Controller Area Network）であってもよい。ＣＡＮは車両に搭載される通信ネットワークの一例として知られている。ＧＷ装置５３は、車載ネットワーク５４を介して、各ＥＣＵ５５との間でデータを交換する。ＥＣＵ５５は、車載ネットワーク５４を介して、他のＥＣＵ５５との間でデータを交換する。
【００３４】
なお、車載ネットワーク５４として、ＣＡＮ以外の通信ネットワークを自動車５０に備え、ＣＡＮ以外の通信ネットワークを介して、ＧＷ装置５３とＥＣＵ５５との間のデータの交換、及び、ＥＣＵ５５同士の間のデータの交換が行われてもよい。例えば、ＬＩＮ（Local Interconnect Network）を自動車５０に備えてもよい。また、ＣＡＮとＬＩＮとを自動車５０に備えてもよい。
【００３５】
ＴＣＵ５１は、ＩＶＩ機器５２とＧＷ装置５３とに接続されている。ＴＣＵ５１は通信装置である。本実施形態では、ＴＣＵ５１は、無線通信ネットワークを利用して通信を行う。例えば、ＴＣＵ５１は、無線通信ネットワークを介して、情報配信装置３０及び統合データベース装置７０と通信を行ってもよい。例えば、ＴＣＵ５１は、無線通信ネットワークを介して、自動車５０の車内又は車外に存在する端末装置４０と通信を行ってもよい。
【００３６】
ＩＶＩ機器５２は、例えば、ナビゲーション機能、位置情報サービス機能、音楽や動画等のマルチメディア再生機能、音声通信機能、データ通信機能、インターネット接続機能などを備える。ＩＶＩ機器５２は、ＴＣＵ５１とＧＷ装置５３とに接続されている。ＩＶＩ機器５２は、ＧＷ装置５３を介してＥＣＵ５５と通信を行う。また、ＩＶＩ機器５２は、ＧＷ装置５３を介して、車載ネットワーク５４を流れる自動車５０の車両情報を取得する。
【００３７】
また、ＩＶＩ機器５２は、近距離無線通信機能を備える。近距離無線通信は、例えば、「Wi-Fi（登録商標）」等の無線ＬＡＮの無線通信であってもよく、又は、ＢＬＥ等の「Bluetooth（登録商標）」の無線通信であってもよい。ＩＶＩ機器５２は、近距離無線通信により端末装置４０と通信を行ってもよい。
【００３８】
また、端末装置４０とＩＶＩ機器５２とを通信ケーブルで接続し、端末装置４０とＩＶＩ機器５２とは当該通信ケーブルを介してデータを送受してもよい。例えば、端末装置４０とＩＶＩ機器５２とをＵＳＢ（universal serial bus）ケーブルで接続し、端末装置４０とＩＶＩ機器５２とはＵＳＢケーブルを介してＵＳＢ通信を行ってもよい。
【００３９】
また、ＩＶＩ機器５２は、ＴＣＵ５１を介して、端末装置４０、情報配信装置３０及び統合データベース装置７０と通信を行ってもよい。
【００４０】
図４には、ＩＶＩ機器５２の情報提供に係る機能構成が示される。図４において、ＩＶＩ機器５２は、端末インタフェース５２１と、車両情報提供部５２２と、表示部５２３と、操作部５２４と、ナビゲーション制御部５２５と、登録情報送信部５３０とを備える。
【００４１】
端末インタフェース５２１は、端末装置４０と通信を行い、端末装置４０の車両インタフェース４１と連携を行う。端末インタフェース５２１は、端末装置４０のアプリケーションが生成した端末アプリケーション画面を車両インタフェース４１から受信し、受信した端末アプリケーション画面を表示部５２３に表示する機能や、自動車５０の車両情報を車両インタフェース４１へ送信する機能などを有する。
【００４２】
端末インタフェース５２１によって、例えば、自動車５０の車両情報の一例であるギア情報を端末装置４０へ送信することができる。ギア情報は、自動車５０のトランスミッションのギアの状態を示す車両情報である。端末装置４０は、自動車５０から受信したギア情報によって、自動車５０のトランスミッションのギアが「パーキング（駐車）」状態になっているのか否かを認識することができる。
【００４３】
車両情報提供部５２２は、ＧＷ装置５３を介して、車載ネットワーク５４を流れる自動車５０の車両情報を取得する。車両情報提供部５２２は、ＧＷ装置５３を介して取得した自動車５０の車両情報を端末装置４０等へ提供する。
【００４４】
表示部５２３は、データ表示を行うための表示デバイスを備える。操作部５２４は、ユーザの操作に応じたデータ入力を行うための入力デバイスを備える。表示部５２３及び操作部５２４は、データ入力とデータ表示の両方が可能なタッチパネルであってもよい。
【００４５】
ナビゲーション制御部５２５は、ＩＶＩ機器５２のナビゲーション機能の制御を行う。ナビゲーション制御部５２５は、例えば、端末装置４０から端末インタフェース５２１により受信したナビゲーション情報に基づいてナビゲーションを実行する。端末装置４０から受信したナビゲーション情報が目的地を示す目的地情報である場合、ナビゲーション制御部５２５は、当該目的地情報で示される目的地へのナビゲーションを実行する。端末装置４０から受信したナビゲーション情報が目的地へのナビゲーション画面である場合、ナビゲーション制御部５２５は、当該ナビゲーション画面を使用して目的地へのナビゲーションを実行する。
【００４６】
登録情報送信部５３０は、統合データベース装置７０に登録する情報を送信する。
【００４７】
ＩＶＩ機器５２の機能は、ＩＶＩ機器５２がＣＰＵ及びメモリ等のコンピュータハードウェアを備え、ＣＰＵがメモリに格納されたコンピュータプログラムを実行することにより実現される。
【００４８】
図５は、本実施形態に係る情報配信装置の機能構成例を示すブロック図である。図５において、情報配信装置３０は、情報提供制御部１０と、提供情報送信部３１と、提供情報取得部３２と、ユーザ登録部３３と、成果処理部３４と、提供情報格納部３５とを備える。
【００４９】
情報提供制御部１０は、提供情報の配信を制御する。提供情報送信部３１は、情報提供制御部１０による送信タイミングの制御に基づいて提供情報を送信する。提供情報送信部３１は、提供情報を、端末装置４０へ送信してもよく、又は、自動車５０へ送信してもよい。提供情報は、例えば、店舗で利用できる割引等の特典が付いた電子クーポンや広告、給油所や自動車整備工場等のサービス施設の紹介やサービス施設までの道案内などの情報である。
【００５０】
提供情報取得部３２は、配信する提供情報を取得し、取得した提供情報を保持する。ユーザ登録部３３は、ユーザのユーザ登録情報を記録する。成果処理部３４は、提供情報を配信した結果として得られる成果を処理するための成果処理を実行する。提供情報格納部３５は、送客のために配信される複数の提供情報を格納する。
【００５１】
情報配信装置３０の機能は、情報配信装置３０がＣＰＵ（Central Processing Unit：中央演算処理装置）及びメモリ等のコンピュータハードウェアを備え、ＣＰＵがメモリに格納されたコンピュータプログラムを実行することにより実現される。なお、情報配信装置３０として、汎用のコンピュータ装置を使用して構成してもよく、又は、専用のハードウェア装置として構成してもよい。
【００５２】
図６は、本実施形態に係る統合データベース装置の登録情報格納部の構成例を示す図である。図６において、登録情報格納部７２は、登録情報受信部７１が受信した端末情報登録情報及び車両情報登録情報を格納する。端末情報登録情報は、ユーザの端末装置４０の携帯電話番号を含む端末情報が自動車５０のＶＩＮに関連付けられて構成される情報である。車両情報登録情報は、自動車５０のＶＩＮを含む車両情報がユーザの端末装置４０の携帯電話番号に関連付けられて構成される情報である。
【００５３】
図６に示されるように、端末情報は、ＶＩＮに関連付けられて登録情報格納部７２に格納される。車両情報は、携帯電話番号に関連付けられて登録情報格納部７２に格納される。検索受付部７３は、ユーザの端末装置４０の携帯電話番号を検索キーにして、当該検索キーの携帯電話番号を含む端末情報と当該検索キーの携帯電話番号に関連付けられた車両情報とを検索することができる。また、検索受付部７３は、ユーザの自動車５０のＶＩＮを検索キーにして、当該検索キーのＶＩＮを含む車両情報と当該検索キーのＶＩＮに関連付けられた端末情報とを検索することができる。
【００５４】
［データベース生成方法］
次に本実施形態に係るデータベース生成方法を説明する。
【００５５】
（データベース生成方法の例１）
図７を参照して、本実施形態に係るデータベース生成方法の例１を説明する。図７は、本実施形態に係るデータベース生成方法の例１の手順を示す説明図である。端末装置４０は、通信ネットワークＮＷ１及び通信ネットワークＮＷ３を介して、統合データベース装置７０と通信を行う。自動車５０は、通信ネットワークＮＷ２及び通信ネットワークＮＷ３を介して、統合データベース装置７０と通信を行う。
【００５６】
（ステップＳ１１）  端末装置４０の登録情報送信部４８は、所定のタイミングで、端末情報登録情報を統合データベース装置７０へ送信する。当該所定のタイミングは、例えば、定期的なタイミング（例えば、毎日、毎週等）や、所定のアプリケーションが起動されたタイミングなどである。端末情報登録情報は、端末装置４０の携帯電話番号を含む端末情報と、自動車５０のＶＩＮとから構成される情報である。端末情報は、端末装置４０のメモリに予め保持される。自動車５０のＶＩＮは、端末装置４０のメモリに予め保持されてもよく、又は、ユーザが操作部４６により入力してもよい。
【００５７】
統合データベース装置７０の登録情報受信部７１は、端末装置４０から端末情報登録情報を受信する。
【００５８】
（ステップＳ１２）  自動車５０のＩＶＩ機器５２の登録情報送信部５３０は、所定のタイミングで、車両情報登録情報を統合データベース装置７０へ送信する。当該所定のタイミングは、例えば、自動車５０のイグニッションがオンされたタイミングなど、自動車５０が使用されるタイミングである。車両情報登録情報は、自動車５０のＶＩＮを含む車両情報と、端末装置４０の携帯電話番号とから構成される情報である。車両情報は、ＩＶＩ機器５２のメモリに予め保持される。端末装置４０の携帯電話番号は、ＩＶＩ機器５２のメモリに予め保持されてもよく、又は、ユーザが操作部５２４により入力してもよい。
【００５９】
統合データベース装置７０の登録情報受信部７１は、自動車５０から車両情報登録情報を受信する。
【００６０】
（ステップＳ１３）  統合データベース装置７０の登録情報格納部７２は、登録情報受信部７１が端末装置４０から受信した端末情報登録情報を、図６に示されるように、例えば、端末情報登録情報のＶＩＮ＿Ａに関連付けて当該端末情報登録情報の端末情報「携帯電話番号（携帯telno_a）、個人情報＿ａ、趣向情報＿ａ等」を格納する。
【００６１】
統合データベース装置７０の登録情報格納部７２は、登録情報受信部７１が端末装置４０から受信した車両情報登録情報を、図６に示されるように、例えば、車両情報登録情報の携帯電話番号（携帯telno_a）に関連付けて当該車両情報登録情報の車両情報「ＶＩＮ＿Ａ、目的地情報＿Ａ、走行ログ＿Ａ、車載ネットワーク取得情報ログ（ＣＡＮログＡ）等」を格納する。
【００６２】
データベース生成方法の例１によれば、図６に例示されるように、端末情報と車両情報とが統合されたデータベースを生成することができる。
【００６３】
なお、図１に示される情報提供システム１において、端末情報登録情報のみを格納する端末情報データベース装置を通信ネットワークＮＷ１に設け、また、車両情報登録情報のみを格納する車両情報データベース装置を通信ネットワークＮＷ２に設けてもよい。この場合、端末装置４０の登録情報送信部４８は、端末情報登録情報を端末情報データベース装置へ送信する。また、自動車５０のＩＶＩ機器５２の登録情報送信部５３０は、車両情報登録情報を車両情報データベース装置へ送信する。そして、統合データベース装置７０は、端末情報データベース装置から端末情報登録情報を取得し、また、車両情報データベース装置から車両情報登録情報を取得する。
【００６４】
（データベース生成方法の例２）
図８を参照して、本実施形態に係るデータベース生成方法の例２を説明する。図８は、本実施形態に係るデータベース生成方法の例２の手順を示す説明図である。端末装置４０は、通信ネットワークＮＷ１及び通信ネットワークＮＷ３を介して、統合データベース装置７０と通信を行う。端末装置４０と自動車５０とは、例えば近距離無線通信により通信を行う。
【００６５】
（ステップＳ２１）  自動車５０のＩＶＩ機器５２の登録情報送信部５３０は、所定のタイミングで、自動車５０のＶＩＮを含む車両情報を端末装置４０へ送信する。当該所定のタイミングは、例えば、自動車５０のイグニッションがオンされたタイミングなど、自動車５０が使用されるタイミングである。車両情報は、ＩＶＩ機器５２のメモリに予め保持される。
【００６６】
端末装置４０は、自動車５０から車両情報を受信する。
【００６７】
（ステップＳ２２）  端末装置４０の登録情報送信部４８は、所定のタイミングで、端末装置４０の携帯電話番号を含む端末情報と、自動車５０から受信した車両情報とを統合データベース装置７０へ送信する。当該所定のタイミングは、例えば、自動車５０から車両情報を受信したタイミングである。端末情報は、端末装置４０のメモリに予め保持される。
【００６８】
統合データベース装置７０の登録情報受信部７１は、端末装置４０から端末情報及び車両情報を受信する。登録情報受信部７１が端末装置４０から受信した端末情報及び車両情報は、端末情報が車両情報のＶＩＮに関連付けられて構成される端末情報登録情報と、車両情報が端末情報の携帯電話番号に関連付けられて構成される車両情報登録情報とに相当する。
【００６９】
（ステップＳ２３）  統合データベース装置７０の登録情報格納部７２は、登録情報受信部７１が端末装置４０から受信した端末情報及び車両情報を、図６に示されるように、例えば、車両情報のＶＩＮ＿Ａに関連付けて端末情報「携帯電話番号（携帯telno_a）、個人情報＿ａ、趣向情報＿ａ等」を格納し、また、端末情報の携帯電話番号（携帯telno_a）に関連付けて車両情報「ＶＩＮ＿Ａ、目的地情報＿Ａ、走行ログ＿Ａ、車載ネットワーク取得情報ログ（ＣＡＮログＡ）等」を格納する。
【００７０】
データベース生成方法の例２によれば、図６に例示されるように、端末情報と車両情報とが統合されたデータベースを生成することができる。
【００７１】
（データベース生成方法の例３）
図９を参照して、本実施形態に係るデータベース生成方法の例３を説明する。図９は、本実施形態に係るデータベース生成方法の例３の手順を示す説明図である。自動車５０は、通信ネットワークＮＷ２及び通信ネットワークＮＷ３を介して、統合データベース装置７０と通信を行う。端末装置４０と自動車５０とは、例えば近距離無線通信により通信を行う。
【００７２】
（ステップＳ３１）  端末装置４０の登録情報送信部４８は、所定のタイミングで、端末装置４０の携帯電話番号を含む端末情報を自動車５０へ送信する。当該所定のタイミングは、例えば、端末装置４０が自動車５０に通信接続したタイミングである。端末情報は、端末装置４０のメモリに予め保持される。
【００７３】
自動車５０は、端末装置４０から端末情報を受信する。
【００７４】
（ステップＳ３２）  自動車５０のＩＶＩ機器５２の登録情報送信部５３０は、所定のタイミングで、自動車５０のＶＩＮを含む車両情報と、端末装置４０から受信した端末情報とを統合データベース装置７０へ送信する。当該所定のタイミングは、例えば、端末装置４０から端末情報を受信したタイミングである。車両情報は、ＩＶＩ機器５２のメモリに予め保持される。
【００７５】
統合データベース装置７０の登録情報受信部７１は、自動車５０から端末情報及び車両情報を受信する。登録情報受信部７１が自動車５０から受信した端末情報及び車両情報は、端末情報が車両情報のＶＩＮに関連付けられて構成される端末情報登録情報と、車両情報が端末情報の携帯電話番号に関連付けられて構成される車両情報登録情報とに相当する。
【００７６】
（ステップＳ３３）  統合データベース装置７０の登録情報格納部７２は、登録情報受信部７１が自動車５０から受信した端末情報及び車両情報を、図６に示されるように、例えば、車両情報のＶＩＮ＿Ａに関連付けて端末情報「携帯電話番号（携帯telno_a）、個人情報＿ａ、趣向情報＿ａ等」を格納し、また、端末情報の携帯電話番号（携帯telno_a）に関連付けて車両情報「ＶＩＮ＿Ａ、目的地情報＿Ａ、走行ログ＿Ａ、車載ネットワーク取得情報ログ（ＣＡＮログＡ）等」を格納する。
【００７７】
データベース生成方法の例３によれば、図６に例示されるように、端末情報と車両情報とが統合されたデータベースを生成することができる。
【００７８】
［情報提供方法］
次に、図１０を参照して、本実施形態に係る情報提供方法を説明する。図１０は、本実施形態に係る情報提供方法の手順を示すフローチャートである。情報配信装置３０は、通信ネットワークＮＷ３を介して、統合データベース装置７０と通信を行う。情報配信装置３０は、通信ネットワークＮＷ３及び通信ネットワークＮＷ１を介して、端末装置４０と通信を行う。情報配信装置３０は、通信ネットワークＮＷ３及び通信ネットワークＮＷ２を介して、自動車５０と通信を行う。
【００７９】
ユーザは、事前に、情報配信装置３０にユーザ登録を行う。情報配信装置３０のユーザ登録部３３は、ユーザのユーザ登録により取得したユーザ登録情報を記録する。ユーザ登録情報は、氏名、住所、端末装置４０の携帯電話番号、自動車５０のＶＩＮなどを含む情報である。情報配信装置３０のユーザ登録部３３は、ウェブ（Ｗｅｂ）サイトによりユーザ登録を受け付けてもよい。
【００８０】
情報配信装置３０の提供情報格納部３５には、予め、複数の提供情報が格納される。提供情報格納部３５に格納される提供情報は、送客のために配信される提供情報である。提供情報は、送客を希望する店舗やサービス施設等から収集されて提供情報格納部３５に格納される。提供情報は、例えば、店舗で利用できる割引等の特典が付いた電子クーポンや広告、給油所や自動車整備工場等のサービス施設の紹介やサービス施設までの道案内などの情報である。
【００８１】
（ステップＳ５１）  情報配信装置３０の提供情報取得部３２は、配信先のユーザの携帯電話番号又はＶＩＮをユーザ登録部３３から取得する。ここでは一例として、提供情報取得部３２は、配信先のユーザの携帯電話番号（携帯telno_a）をユーザ登録部３３から取得する。
【００８２】
（ステップＳ５２）  提供情報取得部３２は、配信先のユーザの携帯電話番号（携帯telno_a）を統合データベース装置７０へ送信して端末情報及び車両情報の検索を要求する。統合データベース装置７０の検索受付部７３は、情報配信装置３０からの検索要求に応じて、当該検索要求の携帯電話番号（携帯telno_a）を検索キーにして、当該検索キーの携帯電話番号（携帯telno_a）を含む端末情報と当該検索キーの携帯電話番号（携帯telno_a）に関連付けられた車両情報とを検索する。この検索結果として、検索受付部７３は、図６に例示される端末情報「携帯電話番号（携帯telno_a）、個人情報＿ａ、趣向情報＿ａ等」と車両情報「ＶＩＮ＿Ａ、目的地情報＿Ａ、走行ログ＿Ａ、車載ネットワーク取得情報ログ（ＣＡＮログＡ）等」とを取得する。検索受付部７３は、検索結果の端末情報「携帯電話番号（携帯telno_a）、個人情報＿ａ、趣向情報＿ａ等」及び車両情報「ＶＩＮ＿Ａ、目的地情報＿Ａ、走行ログ＿Ａ、車載ネットワーク取得情報ログ（ＣＡＮログＡ）等」を情報配信装置３０へ応答する。
【００８３】
情報配信装置３０の提供情報取得部３２は、統合データベース装置７０から、検索要求の応答として端末情報「携帯電話番号（携帯telno_a）、個人情報＿ａ、趣向情報＿ａ等」及び車両情報「ＶＩＮ＿Ａ、目的地情報＿Ａ、走行ログ＿Ａ、車載ネットワーク取得情報ログ（ＣＡＮログＡ）等」を受信する。
【００８４】
（ステップＳ５３）  情報配信装置３０の提供情報取得部３２は、統合データベース装置７０から取得した端末情報「携帯電話番号（携帯telno_a）、個人情報＿ａ、趣向情報＿ａ等」及び車両情報「ＶＩＮ＿Ａ、目的地情報＿Ａ、走行ログ＿Ａ、車載ネットワーク取得情報ログ（ＣＡＮログＡ）等」に基づいて、配信先のユーザに提供する提供情報を、提供情報格納部３５の複数の提供情報の中から選択する。提供情報選択方法については後述する。
【００８５】
（ステップＳ５４）  情報配信装置３０の提供情報送信部３１は、提供情報取得部３２が選択した提供情報を送信する。提供情報の送信先は、ユーザの端末装置４０であってもよく、又は、ユーザの自動車５０であってもよい。
【００８６】
なお、上述した統合データベース装置７０の検索例では、配信先のユーザの携帯電話番号（携帯telno_a）を検索キーにしたが、配信先のユーザのＶＩＮ（ＶＩＮ＿Ａ）を検索キーにしても、同様に、図６に例示される、当該検索キーのＶＩＮ（ＶＩＮ＿Ａ）に関連付けられた端末情報「携帯電話番号（携帯telno_a）、個人情報＿ａ、趣向情報＿ａ等」と、当該検索キーのＶＩＮ（ＶＩＮ＿Ａ）を含む車両情報「ＶＩＮ＿Ａ、目的地情報＿Ａ、走行ログ＿Ａ、車載ネットワーク取得情報ログ（ＣＡＮログＡ）等」とが検索される。
【００８７】
また、ユーザに配信する提供情報は、ユーザにお勧めする店舗や施設等の複数のお勧めスポットの情報を含む情報誌の形態（以下、提供情報誌と称する）であってもよい。ユーザは、端末装置４０により、提供情報誌を閲覧し、提供情報誌の中から所望のお勧めスポットを選択することにより、選択したお勧めスポットの詳細情報やナビゲーション情報等を利用することができる。
【００８８】
［提供情報選択方法］
次に本実施形態に係る提供情報選択方法を説明する。
提供情報は、店舗やサービス施設等の広告主から収集されて情報配信装置３０の提供情報格納部３５に蓄積される。情報配信装置３０の提供情報取得部３２は、提供情報格納部３５に蓄積された複数の提供情報の中から、ユーザへ提供する提供情報を選択する。
【００８９】
提供情報の選択の際には、ユーザ登録済みのユーザのＶＩＮの自動車５０の車両情報と、ユーザ登録済みのユーザの端末ＩＤ（例えば携帯電話番号）の端末装置４０の端末情報とを利用することができる。提供情報取得部３２は、ユーザのＶＩＮ又は端末ＩＤ（例えば携帯電話番号）を検索キーに指定して、当該ユーザに係る車両情報及び端末情報を統合データベース装置７０から取得する。
【００９０】
提供情報取得部３２は、統合データベース装置７０から取得したユーザに係る車両情報及び端末情報に基づいて、提供情報格納部３５に蓄積された複数の提供情報の中から当該ユーザに提供する提供情報を選択する。なお、提供情報取得部３２は、統合データベース装置７０から取得したユーザに係る車両情報又は端末情報のいずれか一方に基づいて、提供情報格納部３５に蓄積された複数の提供情報の中から当該ユーザに提供する提供情報を選択してもよい。
【００９１】
以下、提供情報の選択の際に利用できる車両情報及び端末情報について説明する。
【００９２】
（車両情報）
提供情報の選択の際に利用できる車両情報の例を以下に示す。
（１）自動車５０の車両識別番号（ＶＩＮ）
（２）自動車５０の購入時などに収集される、氏名、住所、年齢などの個人情報である。
（３）自動車５０のＩＶＩ機器５２のナビゲーション機能にセットされる目的地を示す目的地情報である。例えば、目的地に至る所定の経路上にあるレストランなど、立ち寄りに適した店舗の広告やクーポンなどの提供情報を選択することにより、当該店舗への送客効果が期待できる。
（４）走行ログ
（４−１）連続走行時間である。例えば、長時間（所定時間以上）運転している自動車５０のユーザに対して、休憩スポットの施設の紹介や道案内などの提供情報を選択することにより、当該休憩スポットの施設への送客効果が期待できる。
（４−２）運転ログである。例えば、自動車５０の位置、車速、ブレーキ、舵角などの運転情報からユーザの疲れ度合いを推測し、推測結果に応じて休憩スポットの施設の紹介や道案内などの提供情報を選択することにより、当該休憩スポットの施設への送客効果が期待できる。例えば、運転情報の変化が激しい（運転情報が変化する頻度が所定値以上である）か否かを判断し、運転情報の変化が激しい場合に、休憩スポットの施設の紹介や道案内などの提供情報を選択する。
（５）ＣＡＮ等の車載ネットワーク５４から取得された情報のログ（車載ネットワーク取得情報ログ）
（５−１）燃料残量である。例えば、燃料残量が残り少ない（燃料残量が所定量以下である）自動車５０のユーザに対して、給油所の紹介や道案内などの提供情報を選択することにより、当該給油所への送客効果が期待できる。
（５−２）ＥＣＵエラーメッセージである。自動車５０のＥＣＵ５５に生じるエラーメッセージ（ＥＣＵエラーメッセージ）に基づいて、自動車５０の正規ディーラや自動車整備工場の紹介や道案内などの提供情報を選択することにより、当該正規ディーラや自動車整備工場への送客効果が期待できる。例えば、自動車５０の各種のＥＣＵ５５に生じる複数の種類のＥＣＵエラーメッセージのうち所定の種類のＥＣＵエラーメッセージが発生した場合に、自動車５０の正規ディーラや自動車整備工場の紹介や道案内などの提供情報を選択する。
【００９３】
（端末情報）
提供情報の選択の際に利用できる端末情報の例を以下に示す。
（１）端末装置４０の購入時などに収集される、氏名、住所、年齢などのユーザの個人情報である。
（２）端末ＩＤである。端末ＩＤとして、例えば、携帯電話番号、ＩＭＥＩ、ＩＭＳＩ、電子メールアドレスなどが挙げられる。
（３）趣向情報
（３−１）端末装置４０のアプリケーションの利用頻度や利用時間である。
（３−２）端末装置４０のアプリケーションにより提示された広告のうち、ユーザの操作によって閲覧された広告を示す広告閲覧履歴である。
（３−３）端末装置４０の位置などの端末装置４０の移動履歴から取得されるユーザの行動を示す行動履歴である。
【００９４】
（提供情報選択方法の例１）
提供情報選択方法の例１を説明する。提供情報取得部３２は、統合データベース装置７０から取得したユーザに係る車両情報及び端末情報に基づいて、提供情報格納部３５に蓄積された複数の提供情報の中から当該ユーザに提供する提供情報を選択する。ここでは、統合データベース装置７０から取得したユーザに係る車両情報及び端末情報の一例として、端末情報「携帯電話番号（携帯telno_a）、個人情報＿ａ、趣向情報＿ａ」及び車両情報「ＶＩＮ＿Ａ、目的地情報＿Ａ、走行ログ＿Ａ、車載ネットワーク取得情報ログ（ＣＡＮログＡ）」を挙げて、提供情報選択方法の例１（例１−１〜例１−５）を説明する。
【００９５】
（提供情報選択方法の例１−１）
提供情報取得部３２は、個人情報＿ａ「ユーザの氏名、住所、年齢」によって、提供情報格納部３５に蓄積された複数の提供情報の中から、ユーザに提供する提供情報の候補（以下、提供情報候補と称する）を抽出する。この提供情報候補抽出方法の例を挙げる。提供情報格納部３５に蓄積された複数の提供情報には、広告主が設定した送客候補条件を有する提供情報が存在する。送客候補条件の一例として、ユーザの個人情報がある。提供情報取得部３２は、個人情報＿ａに該当する送客候補条件を有する提供情報を、提供情報候補として抽出する。
【００９６】
（提供情報選択方法の例１−２）
提供情報取得部３２は、趣向情報＿ａによって、提供情報格納部３５に蓄積された複数の提供情報の中から提供情報候補を抽出する。この提供情報候補抽出方法の例を挙げる。例えば、提供情報取得部３２は、趣向情報＿ａに含まれるアプリケーションの利用頻度や利用時間が所定量以上であるアプリケーションにより提示される広告の提供情報を、提供情報候補として抽出する。又は、提供情報取得部３２は、趣向情報＿ａに含まれる広告閲覧履歴に類似する広告の提供情報を、提供情報候補として抽出する。又は、提供情報取得部３２は、趣向情報＿ａに含まれる行動履歴で示されるユーザの行動に該当する提供情報、例えばユーザが利用したことがある店舗やサービス施設に該当する提供情報を、提供情報候補として抽出する。
【００９７】
（提供情報選択方法の例１−３）
提供情報取得部３２は、目的地情報＿Ａによって、提供情報格納部３５に蓄積された複数の提供情報の中から提供情報候補を抽出する。この提供情報候補抽出方法の例を挙げる。提供情報取得部３２は、目的地情報＿Ａが示す目的地に至る所定の経路上にある立ち寄りに適した店舗やサービス施設の広告やクーポン等の提供情報を、提供情報候補として抽出する。
【００９８】
（提供情報選択方法の例１−４）
提供情報取得部３２は、走行ログ＿Ａによって、提供情報格納部３５に蓄積された複数の提供情報の中から提供情報候補を抽出する。この提供情報候補抽出方法の例を挙げる。例えば、提供情報取得部３２は、走行ログ＿Ａに含まれる連続走行時間が所定時間以上である場合に、休憩スポットの施設の紹介や道案内等の提供情報を、提供情報候補として抽出する。又は、提供情報取得部３２は、走行ログ＿Ａに含まれる運転ログにおいて、自動車５０の位置、車速、ブレーキ、舵角等の運転情報が変化する頻度が所定値以上であるか否かを判断し、運転情報が変化する頻度が所定値以上である場合に、休憩スポットの施設の紹介や道案内等の提供情報を、提供情報候補として抽出する。
【００９９】
（提供情報選択方法の例１−５）
提供情報取得部３２は、車載ネットワーク取得情報ログ（ＣＡＮログＡ）によって、提供情報格納部３５に蓄積された複数の提供情報の中から提供情報候補を抽出する。この提供情報候補抽出方法の例を挙げる。例えば、提供情報取得部３２は、ＣＡＮログＡに含まれる燃料残量が所定量以下である場合に、給油所の紹介や道案内等の提供情報を、提供情報候補として抽出する。又は、提供情報取得部３２は、ＣＡＮログＡに含まれるＥＣＵエラーメッセージが所定の種類のＥＣＵエラーメッセージである場合に、自動車５０の正規ディーラや自動車整備工場の紹介や道案内等の提供情報を、提供情報候補として抽出する。
【０１００】
提供情報取得部３２は、上述した提供情報選択方法の例１−１から例１−５までのうち、いずれか一つのみを実行してもよく、又は、いずれか複数を実行してもよい。提供情報取得部３２は、抽出結果の提供情報候補を、ユーザに提供する提供情報として選択する。提供情報取得部３２は、ユーザに提供する提供情報を複数選択した場合、当該複数の提供情報を含む提供情報誌を生成してもよい。この場合、提供情報送信部３１は、提供情報取得部３２が生成した提供情報誌を送信する。
【０１０１】
なお、提供情報取得部３２は、提供情報選択方法の例１−１から例１−５までのうち複数を実行する場合、それら抽出結果の提供情報候補をさらに絞り込み、絞り込んだ結果をユーザに提供する提供情報として選択してもよい。
【０１０２】
例えば、提供情報選択方法の例１−２から例１−５までの抽出結果の提供情報候補から、提供情報選択方法の例１−１の抽出結果の提供情報候補（ユーザの個人情報による抽出結果の提供情報候補）と重複する提供情報候補のみに絞り込み、絞り込んだ結果をユーザに提供する提供情報として選択してもよい。
【０１０３】
又は、提供情報選択方法の例１−３から例１−５までの抽出結果の提供情報候補から、提供情報選択方法の例１−２の抽出結果の提供情報候補（趣向情報による抽出結果の提供情報候補）と重複する提供情報候補のみに絞り込み、絞り込んだ結果をユーザに提供する提供情報として選択してもよい。
【０１０４】
又は、提供情報選択方法の例１−３から例１−５までの抽出結果の提供情報候補から、提供情報選択方法の例１−１の抽出結果の提供情報候補（ユーザの個人情報による抽出結果の提供情報候補）に重複し且つ提供情報選択方法の例１−２の抽出結果の提供情報候補（趣向情報による抽出結果の提供情報候補）と重複する提供情報候補のみに絞り込み、絞り込んだ結果をユーザに提供する提供情報として選択してもよい。
【０１０５】
又は、提供情報選択方法の例１−４から例１−５までの抽出結果の提供情報候補から、提供情報選択方法の例１−３の抽出結果の提供情報候補（目的地情報による抽出結果の提供情報候補）と重複する提供情報候補のみに絞り込み、絞り込んだ結果をユーザに提供する提供情報として選択してもよい。
【０１０６】
（提供情報選択方法の例２）
提供情報選択方法の例２を説明する。同じ自動車５０が複数のユーザによって使用される場合がある。例えば、カーシェアリングサービスでは、同時期に、複数のユーザが代わる代わる繰り返し同じ自動車５０を使用する。また、レンタカーサービスでは、時間の経過に伴って、同じ自動車５０を使用するユーザが変わっていく。このような事情を考慮して、提供情報選択方法の例２では、同じ自動車５０が複数のユーザによって使用される場合、当該自動車５０のユーザに配信する提供情報を適切に選択することを図る。
【０１０７】
図１１を参照して、本実施形態に係る提供情報選択方法の例２を説明する。図１１は、本実施形態に係る提供情報選択方法の例２の手順を示すフローチャートである。
【０１０８】
（ステップＳ６１）  提供情報取得部３２は、統合データベース装置７０の登録情報格納部７２に蓄積される同一ＶＩＮを含む車両情報に関連付けられている携帯電話番号の変化を監視する。当該監視は、提供情報取得部３２から統合データベース装置７０の検索受付部７３に依頼して行われる。図６の例では、同じＶＩＮ（ＶＩＮ＿Ｂ）を含む車両情報に関連付けられている携帯電話番号は、携帯電話番号（携帯telno_b）と携帯電話番号（携帯telno_d）とが存在する。
【０１０９】
（ステップＳ６２）  提供情報取得部３２は、監視結果に基づいて監視対象の車両情報が複数のユーザに関する車両情報であるか否かを判断する。図６の例では、同じＶＩＮ（ＶＩＮ＿Ｂ）を含む車両情報が複数のユーザに関する車両情報であるか否かを判断する。この判断方法を説明する。
【０１１０】
同じＶＩＮ（ＶＩＮ＿Ｂ）を含む車両情報に関連付けられている携帯電話番号が複数「携帯telno_b、携帯telno_d」存在する場合において、一定期間内に例えば一週間に、「携帯telno_b」と「携帯telno_d」とが代わる代わる繰り返し同じＶＩＮ（ＶＩＮ＿Ｂ）を含む車両情報に関連付けられているときは、当該自動車５０がカーシェアリングサービスにより同時期に複数のユーザ（携帯telno_bのユーザと携帯telno_dのユーザ）に代わる代わる繰り返し使用されていると考えられるので、当該ＶＩＮ（ＶＩＮ＿Ｂ）を含む車両情報が複数のユーザに関する車両情報であると判断する。これは、カーシェアリングサービスの場合、自動車５０の使用者が変わっても車両情報はリセットされないと想定されるからである。
【０１１１】
一方、同じＶＩＮ（ＶＩＮ＿Ｂ）を含む車両情報に関連付けられている携帯電話番号が複数「携帯telno_b、携帯telno_d」存在する場合において、一定期間内に例えば一週間に、「携帯telno_b」と「携帯telno_d」とが代わる代わる繰り返し同じＶＩＮ（ＶＩＮ＿Ｂ）を含む車両情報に関連付けられていないとき、例えば同じ月の最初の一週間は「携帯telno_b」のみが当該ＶＩＮ（ＶＩＮ＿Ｂ）を含む車両情報に関連付けられているが次の一週間は「携帯telno_d」のみが当該ＶＩＮ（ＶＩＮ＿Ｂ）を含む車両情報に関連付けられているときは、当該自動車５０がレンタカーサービスにより時間の経過に伴って最初は携帯telno_bのユーザに使用された後に次に携帯telno_dのユーザに使用されていると考えられるので、当該ＶＩＮ（ＶＩＮ＿Ｂ）を含む車両情報が複数のユーザに関する車両情報ではないと判断する。これは、レンタカーサービスの場合、自動車５０の使用者が変わる時に車両情報がリセットされると想定されるからである。
【０１１２】
（ステップＳ６３）  提供情報取得部３２は、ＶＩＮ（ＶＩＮ＿Ｂ）を含む車両情報に基づいて、提供情報格納部３５の複数の提供情報の中から複数のユーザに対応する提供情報を選択する。この複数のユーザに対応する提供情報の選択方法の例を挙げる。例えば、不特定の複数のユーザに対応する提供情報を選択する。又は、特定の複数のユーザ（携帯telno_bのユーザと携帯telno_dのユーザ）に対応する提供情報を選択する。
【０１１３】
（ステップＳ６４）  提供情報取得部３２は、ＶＩＮ（ＶＩＮ＿Ｂ）を含む車両情報に基づいて、提供情報格納部３５の複数の提供情報の中からユーザ個別に対応する提供情報を選択する。この場合、携帯電話番号（携帯telno_b）に関連付けられているＶＩＮ（ＶＩＮ＿Ｂ）を含む車両情報に基づいて、携帯telno_bのユーザ個別の提供情報が選択される。また、携帯電話番号（携帯telno_d）に関連付けられているＶＩＮ（ＶＩＮ＿Ｂ）を含む車両情報に基づいて、携帯telno_dのユーザ個別の提供情報が選択される。
【０１１４】
上述した提供情報選択方法の例２によれば、同じ自動車５０が複数のユーザによって使用される場合に、当該自動車５０のユーザに配信する提供情報を適切に選択することができる。
【０１１５】
［情報提供システムの適用例］
次に本実施形態に係る情報提供システム１の適用例を説明する。本適用例は、上述した情報提供システム１の一適用例である送客ビジネスモデルを実現するものである。図１２は、本実施形態に係る情報提供システムの適用例の説明図である。以下、図１２を参照して、本実施形態に係る情報提供システム１の適用例を説明する。
【０１１６】
図１２に示される情報提供システム１の適用例では、提供情報を利用して、レストラン等の店舗や給油所等のサービス施設などの広告主への送客を図る。自動車５０は、送客に利用される送客ツールである。ユーザは、端末装置４０を所持して送客ツール（自動車）５０に乗車している。ユーザは、送客ツール（自動車）５０の運転者であってもよく、運転者ではない送客ツール（自動車）５０の同乗者であってもよい。
【０１１７】
（ステップＳ１０１）  情報配信装置３０は、ユーザ登録済みのユーザの端末ＩＤの端末装置４０から送信された、ユーザの趣向を示す趣向情報を、統合データベース装置７０（図１２中には図示せず）から取得する。情報配信装置３０のユーザ登録部３３は、取得した趣向情報をユーザのユーザ登録情報に含めて記録する。
【０１１８】
情報配信装置３０は、ユーザ登録済みのユーザのＶＩＮの自動車５０から送信された、自動車５０の走行ログを、統合データベース装置７０から取得する。情報配信装置３０のユーザ登録部３３は、取得した走行ログをユーザのユーザ登録情報に含めて記録する。
【０１１９】
（ステップＳ１０２）  情報配信装置３０の提供情報取得部３２は、広告主から、広告やクーポンなどの提供情報を収集する。情報配信装置３０の提供情報格納部３５は、収集した提供情報を蓄積する。
【０１２０】
（ステップＳ１０３）  情報配信装置３０は、提供情報送信部３１により端末装置４０へ提供情報を配信する。但し、ユーザへの提供情報の提示は、情報配信装置３０の情報提供制御部１０の制御に従って行われる。図１２の例では、送客ツール（自動車）５０がパーキング（駐車）しているか否かを示す情報が送客ツール（自動車）５０から情報配信装置３０へ送信され、送客ツール（自動車）５０の運転の妨げにならないように、送客ツール（自動車）５０がパーキング（駐車）している時に、広告やクーポンなどの提供情報が情報配信装置３０から端末装置４０に配信されて端末装置４０で表示される。端末装置４０によりユーザに提示された広告やクーポンなどの提供情報は、広告主の店舗やサービス施設へ、送客ツール（自動車）５０に乗車している人（客）を誘導する送客効果を生む。
【０１２１】
（ステップＳ１０４）  端末装置４０の車両インタフェース４１は、送客ツール（自動車）５０へ、広告やクーポンなどの提供情報に含まれる広告主の店舗やサービス施設の住所を送信する。送客ツール（自動車）５０のＩＶＩ機器５２は、端末インタフェース５２１により広告主の店舗やサービス施設の住所を受信すると、ＩＶＩ機器５２のナビゲーション機能により、広告主の店舗やサービス施設の住所に至る道案内を行う。これにより、送客ツール（自動車）５０により客が広告主の店舗やサービス施設に訪れる。客は、広告主の店舗やサービス施設で提供情報の広告やクーポンを提示することにより、割引等の特典を受けることができる。
【０１２２】
（ステップＳ１０５）  広告主は、提供情報の広告やクーポンによる送客実績に応じた成果報酬を情報提供システムの運用者へ支払う。成果報酬の支払情報は、情報配信装置３０の成果処理部３４へ通知される。
【０１２３】
（ステップＳ１０６）  成果処理部３４は、成果報酬の支払情報が示す成果報酬を、所定の成果処理方法に従って分配する処理を実行する。図１２の例では、送客ツールである自動車５０の車両メーカに対して、成果報酬が分配される。
【０１２４】
上述した実施形態によれば、統合データベース装置７０によって端末情報と車両情報とが関連付けて格納されるので、自動車の乗車者に適したクーポン等の提供情報を選択する際に参考にされる端末情報及び車両情報を効率よく取得することができる。また、統合データベース装置７０から取得された端末情報及び車両情報に基づいて自動車の乗車者に適したクーポン等の提供情報を選択することができる。これにより、ユーザに提供する提供情報のユーザ適合度が向上するので、クーポン等の提供情報による送客の効果の向上に寄与することができるという効果が得られる。
【０１２５】
以上、本発明の実施形態について図面を参照して詳述してきたが、具体的な構成はこの実施形態に限られるものではなく、本発明の要旨を逸脱しない範囲の設計変更等も含まれる。
【０１２６】
上述した実施形態では、車両として自動車を例に挙げたが、原動機付自転車や鉄道車両等の自動車以外の他の車両にも適用可能である。
【０１２７】
また、上述した各装置の機能を実現するためのコンピュータプログラムをコンピュータ読み取り可能な記録媒体に記録して、この記録媒体に記録されたプログラムをコンピュータシステムに読み込ませ、実行するようにしてもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disc）等の可搬媒体、コンピュータシステムに内蔵されるハードディスク等の記憶装置のことをいう。
【０１２８】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【０１２９】
１…情報提供システム、１０…情報提供制御部、３０…情報配信装置、３１…提供情報送信部、３２…提供情報取得部、３３…ユーザ登録部、３４…成果処理部、３５…提供情報格納部、４０…端末装置、４１…車両インタフェース、４２…車両情報取得部、４４…提供情報受信部、４５，５２３…表示部、４６，５２４…操作部、４７…端末制御部、４８，５３０…登録情報送信部、５０…自動車、５１…ＴＣＵ、５２…ＩＶＩ機器、５３…ＧＷ装置、５４…車載ネットワーク、５５…ＥＣＵ、５２１…端末インタフェース、５２２…車両情報提供部、５２５…ナビゲーション制御部、７０…統合データベース装置、７１…登録情報受信部、７２…登録情報格納部、７３…検索受付部、ＮＷ１，ＮＷ２，ＮＷ３…通信ネットワーク
【図１】
2020009128.tif 000003
【図２】
2020009128.tif 000004
【図３】
2020009128.tif 000005
【図４】
2020009128.tif 000006
【図５】
2020009128.tif 000007
【図６】
2020009128.tif 000008
【図７】
2020009128.tif 000009
【図８】
2020009128.tif 000010
【図９】
2020009128.tif 000011
【図１０】
2020009128.tif 000012
【図１１】
2020009128.tif 000013
【図１２】
2020009128.tif 000014